(57)【要約】【課題】煩雑な手作業を必要とせず、かつ頭髪を痛めるおそれがなく、さらに低コストで美しい編み込みの髪型を円滑に作ることができる頭髪編み具を提供する。【解決手段】ベース部９と、ベース部９に設けられ、該ベース部９を、頭髪に沿って移動可能、かつ任意の位置に係止可能とするブラシ部８と、ベース部９に略直線状に配置され、頭髪の一部をまとめた毛束が挟み込まれて保持される略筒状の保持空間が設けられた複数の髪留め部と、を備え、複数の髪留め部は、ベース部９の略中央に設けられた中央の髪留め部３００と、中央の髪留め部３００を挟む外側の位置にそれぞれ設けられた第１の外側髪留め部１００および第２の外側髪留め部２００と、を含む頭髪編み具１である。【選択図】図１
2020000729.tif 000002
【特許請求の範囲】
【請求項１】
ベース部と、
前記ベース部に設けられ、該ベース部を、頭髪に沿って移動可能、かつ任意の位置に係止可能とする係止部と、
前記ベース部に略直線状に配置され、頭髪の一部をまとめた毛束が挟み込まれて保持される保持空間が設けられた複数の髪留め部と、を備え、
前記複数の髪留め部は、
前記ベース部の略中央に設けられた中央の髪留め部と、
前記中央の髪留め部を挟む外側の位置にそれぞれ設けられた第１の外側髪留め部および第２の外側髪留め部と、を含むことを特徴とする頭髪編み具。
【請求項２】
前記中央の髪留め部と、前記第１の外側髪留め部と、前記第２の外側髪留め部のうち、少なくとも前記中央の髪留め部は、柔軟性を有する材料で形成された柔軟部材を有し、
該柔軟部材に、前記保持空間と、該保持空間から外部に連通し、該保持空間に外部から毛束を差し入れるための切れ込みと、が形成されていることを特徴とする請求項１に記載の頭髪編み具。
【請求項３】
前記髪留め部は、毛束の滑りを抑える滑り抑制部を有することを特徴とする請求項１または２に記載の頭髪編み具。
【請求項４】
前記第１の外側髪留め部および前記第２の外側髪留め部は、それぞれ、
前記ベース部に形成された凹部と、
前記ベース部にヒンジ軸を介して該ベース部に対し離接する方向に開閉可能に支持され、閉じた状態で前記凹部に対向する内面を有し、該内面と前記凹部との間に前記保持空間を形成するクリップ部と、
前記クリップ部を閉じる方向に付勢する付勢部材と、を有することを特徴とする請求項１〜３のいずれかに記載の頭髪編み具。
【請求項５】
前記クリップ部は、前記中央の髪留め部側の内側端部と、前記外側の方向側の端部である外側端部を有し、該外側端部が前記ベース部から離間することにより開くように構成されていることを特徴とする請求項４に記載の頭髪編み具。
【請求項６】
前記第１の外側髪留め部および前記第２の外側髪留め部における前記各クリップ部はレバー部を有し、
前記第１の外側髪留め部および前記第２の外側髪留め部の当該各クリップ部は、前記各レバー部を互いに近付ける動作により前記外側端部が開くように構成されていることを特徴とする請求項５に記載の頭髪編み具。
【請求項７】
前記各レバー部に対する触感により、前記中央の髪留め部と、前記第１の外側髪留め部と、前記第２の外側髪留め部の各部の位置を判別することができるように構成されていることを特徴とする請求項６に記載の頭髪編み具。
【請求項８】
前記第１の外側髪留め部および前記第２の外側髪留め部は、前記保持空間に配設された柔軟性を有する柔軟部材と前記クリップ部との協働によって毛束が挟み込まれるように構成されていることを特徴とする請求項４〜７のいずれかに記載の頭髪編み具。
【請求項９】
前記柔軟部材は弾性変形可能なバンドで構成されており、該バンドと前記クリップ部とにより毛束が挟み込まれるように構成されていることを特徴とする請求項８に記載の頭髪編み具。
【請求項１０】
前記クリップ部は、手指で押さえることにより該クリップ部の開閉動作を行うことができるようにした開閉操作面を有し、該開閉操作面には滑り止め部が設けられていることを特徴とする請求項４〜９のいずれかに記載の頭髪編み具。
【請求項１１】
前記係止部は、頭部に沿うように湾曲した形状に形成されるとともに頭部の所定面積を覆って接触する裏面を有することを特徴とする請求項１〜１０のいずれかに記載の頭髪編み具。
【請求項１２】
前記係止部はブラシで構成されていることを特徴とする請求項１１に記載の頭髪編み具。
【発明の詳細な説明】
【技術分野】
【０００１】
本発明は、髪型をアレンジする際に使用する頭髪編み具に関する。
【背景技術】
【０００２】
主に女性においては、自身の手で頭髪を様々な髪型にアレンジしている。例えば三つ編みに代表される編み込みという髪型は、複数に分けた毛束を交互にクロスさせながら編み込んで作られる。ところが、このように手だけで編み込みを作る場合、途中で手を離すことができず、また、左右の手で毛束を持ち替えながら、かつ、編み込みの状態を手で保持しながら行うため、煩雑であるとともに、美しく完成させることが難しいという不満があった。そこで、編み込みの髪型を作る際の補助具が提案されている（例えば、特許文献１、２参照）。
【０００３】
特許文献１には、２枚のプラスチック板を重ね、中央部で縦方向を軸として前後に開閉自在に連結して２重のバタフライ状に形成し、重ねた２枚のプラスチック板の両端を着脱自在の凸部と凹部による嵌合構造とし、２枚のプラスチック板の片側に毛束を挟持してから上記嵌合構造で固定するようにした頭髪編み器が開示されている。
【０００４】
また、特許文献２には、毛束をその外側から束ね止めするための束ね部を有し、該束ね部は柔軟性を有する材料で形成され、かつ、束ね部を閉じて束ね止め状態を維持するための手段が設けられており、束ね部が束ね止め状態にあるときに、束ね部を毛束に沿って移動させることができるようにした編み具が開示されている。
【先行技術文献】
【特許文献】
【０００５】
【特許文献１】特開２００５−２７９０８９号公報
【特許文献２】特開２０１３−１６９４３５号公報
【発明の概要】
【発明が解決しようとする課題】
【０００６】
上記特許文献１に開示されている頭髪編み器では、２枚のプラスチック板で毛束を挟持することにより毛束が扁平な状態になるので、当該頭髪編み器を外すと毛束が自然の状態に戻ろうとする変化が生じ、このため、美しい編み込みを作りにくいものであった。また、毛束から当該頭髪編み器が落下することを防ぐために、プラスチック板により比較的大きな圧力をかけて毛束を挟持する必要があるので、プラスチック板を毛束に沿って移動させると頭髪を痛めるおそれがある。また、特許文献２に開示されている編み具では、編み込みの毛束の数に応じた複数個の編み具を用意しなければならないため、編み込みの作業が煩雑になったりコストがかかったりすることが懸念される。
【０００７】
本発明は上記事情に鑑みてなされたものであり、煩雑な手作業を必要とせず、かつ頭髪を痛めるおそれがなく、さらに低コストで美しい編み込みの髪型を容易に作ることができる頭髪編み具を提供することを目的としている。
【課題を解決するための手段】
【０００８】
本発明に係る頭髪編み具は、（１）ベース部と、前記ベース部に設けられ、該ベース部を、頭髪に沿って移動可能、かつ任意の位置に係止可能とする係止部と、前記ベース部に略直線状に配置され、頭髪の一部をまとめた毛束が挟み込まれて保持される保持空間が設けられた複数の髪留め部と、を備え、前記複数の髪留め部は、前記ベース部の内側に設けられた中央の髪留め部と、前記中央の髪留め部の両方の外側の位置にそれぞれ設けられた第１の外側髪留め部および第２の外側髪留め部と、を含むことを特徴とする。
【０００９】
この構成により、本発明に係る頭髪編み具は、係止部によりベース部を頭髪に係止させた状態から、中央の髪留め部、第１の外側髪留め部および第２の外側髪留め部の３つの髪留め部に、頭髪の一部を取ってまとめた３つの毛束を適宜にクロスさせてそれぞれ挟み込むことにより１段の編み込みを行うことができ、このような編み込み作業を、当該頭髪編み具を頭髪先端側に移動させながら規則的に繰り返し行うことにより、例えば複数段の三つ編みからなる編み込みの髪型を容易に作ることができる。
本発明に係る頭髪編み具は、上述した構成により、当該頭髪編み具を係止部により頭髪に移動可能に係止させることができ、また、頭髪に係止させた当該頭髪編み具の中央の髪留め部、第１の外側髪留め部および第２の外側髪留め部の３つの髪留め部に、毛束をそれぞれ挟み込んで保持させることができる。このため、毛束から手を離して編み込みを行うことができるとともに、毛束をクロスさせる際に頭髪が混ざり合うことなく一定ボリュームの毛束をきれいにまとまった状態に保持することができる。したがって本発明に係る頭髪編み具は、煩雑な手作業を必要とせず、美しい編み込みの髪型を容易に作ることができる。
また、本発明に係る頭髪編み具は、上述した構成により、中央の髪留め部、第１の外側髪留め部および第２の外側髪留め部の３つの髪留め部に形成される保持空間に毛束が挟み込まれて保持されるため、毛束を断面略円形状の自然な状態で保持することができるとともに、頭髪を痛めるおそれがない。
また、本発明に係る頭髪編み具は、上述した構成により、１つの当該頭髪編み具で編み込みを行うことができるため、当該頭髪編み具を複数必要とせず、よって低コストで編み込みを行うことができる。
【００１０】
本発明に係る頭髪編み具は、（２）前記中央の髪留め部と、前記第１の外側髪留め部と、前記第２の外側髪留め部のうち、少なくとも前記中央の髪留め部は、柔軟性を有する材料で形成された柔軟部材を有し、該柔軟部材に、前記保持空間と、該保持空間から外部に連通し、該保持空間に外部から毛束を差し入れるための切れ込みと、が形成されていることを特徴とする。
【００１１】
この構成により、本発明に係る頭髪編み具は、毛束を、切れ込みを通して保持空間に対し容易に出し入れすることができるとともに、毛束は柔軟部材に接触するため頭髪を痛めるおそれがない。
【００１２】
本発明に係る頭髪編み具は、（３）前記髪留め部は、毛束の滑りを抑える滑り抑制部を有することを特徴とする。
【００１３】
この構成により、本発明に係る頭髪編み具は、髪留め部に保持された毛束の滑りがおさえられるので、毛束から手を離しても毛束にずれが生じにくく、美しい編み込み等の髪型を容易に作ることができる。
【００１４】
本発明に係る頭髪編み具は、（４）前記第１の外側髪留め部および前記第２の外側髪留め部は、それぞれ、前記ベース部に形成された凹部と、前記ベース部にヒンジ軸を介して該ベース部に対し離接する方向に開閉可能に支持され、閉じた状態で前記凹部に対向する内面を有し、該内面と前記凹部との間に前記保持空間を形成するクリップ部と、前記クリップ部を閉じる方向に付勢する付勢部材と、を有することを特徴とする。
【００１５】
この構成により、本発明に係る頭髪編み具は、クリップ部を開いて保持空間に毛束を入れ、付勢部材によりクリップ部を閉じさせることにより、毛束を容易に第１の外側髪留め部および第２の外側髪留め部に挟み込んで保持させることができる。このため、毛束から手を離して編み込みを行うことができるとともに、毛束をクロスさせる際に頭髪が混ざり合うことなく一定ボリュームの毛束をきれいにまとまった状態に保持することができる。その結果、煩雑な手作業を必要とせず、美しい編み込みの髪型を容易に作ることができる。
【００１６】
本発明に係る頭髪編み具は、（５）前記クリップ部は、前記中央の髪留め部側の内側端部と、前記外側の方向側の端部である外側端部を有し、該外側端部が前記ベース部から離間することにより開くように構成されていることを特徴とする。
【００１７】
この構成により、本発明に係る頭髪編み具は、クリップ部の外側端部側から保持空間に毛束を入れることができるので、毛束を保持空間に入れやすく、また、保持空間に入れた毛束を外側に移動させると、クリップ部が開いて毛束を保持空間から外部に出すことができる。したがって、編み込みの作業性をより向上させることができる。
【００１８】
本発明に係る頭髪編み具は、（６）前記第１の外側髪留め部および前記第２の外側髪留め部における前記各クリップ部はレバー部を有し、前記第１の外側髪留め部および前記第２の外側髪留め部の当該各クリップ部は、前記各レバー部を互いに近付ける動作により前記外側端部が開くように構成されていることを特徴とする。
【００１９】
この構成により、本発明に係る頭髪編み具は、第１の外側髪留め部および第２の外側髪留め部における各クリップ部の各レバー部を、例えば片手の指で挟んで動かすことにより、双方のクリップ部の外側端部を開けることができるため、第１の外側髪留め部および第２の外側髪留め部に対する毛束の保持や毛束の抜き取りを速やかに行うことができる。
【００２０】
本発明に係る頭髪編み具は、（７）前記レバー部に対する触感により、前記中央の髪留め部と、前記第１の外側髪留め部と、前記第２の外側髪留め部の各部の位置を判別することができるように構成されていることを特徴とする。
【００２１】
この構成により、本発明に係る頭髪編み具は、レバー部に触ることにより、中央の髪留め部と、第１の外側髪留め部と、第２の外側髪留め部の各部の位置を手探りでも容易に判別できるため、編み込みの作業を容易、かつ円滑に行うことができる。
【００２２】
本発明に係る頭髪編み具は、（８）前記第１の外側髪留め部および前記第２の外側髪留め部は、前記保持空間に配設された柔軟性を有する柔軟部材と前記クリップ部との協働によって毛束が挟み込まれるように構成されていることを特徴とする。
【００２３】
この構成により、本発明に係る頭髪編み具は、髪留め部に挟み込まれた毛束の動きを柔軟部材により抑えることができるため、毛束を自然な状態で確実かつ柔軟に保持することができるとともに、頭髪が痛むことを防ぐことができる。また、毛束の量が多くても柔軟部材が変形することにより毛束を確実に保持することができる。
【００２４】
本発明に係る頭髪編み具は、（９）前記柔軟部材は弾性変形可能なバンドで構成されており、該バンドと前記クリップ部とにより毛束が挟み込まれるように構成されていることを特徴とする。
【００２５】
この構成により、本発明に係る頭髪編み具は、髪留め部に挟み込まれた毛束が動くことをバンドで抑えることができ、毛束を自然な状態で確実かつ柔軟に保持することができるとともに、頭髪が痛むことを防ぐことができる。また、毛束の量が多くてもバンドが弾性変形することにより毛束を確実に保持することができる。
【００２６】
本発明に係る頭髪編み具は、（１０）前記クリップ部は、手指で押さえることにより該クリップ部の開閉動作を行うことができるようにした開閉操作面を有し、該開閉操作面には滑り止め部が設けられていることを特徴とする。
【００２７】
この構成により、本発明に係る頭髪編み具は、開閉操作面を押さえてクリップ部を開閉させる際に、滑り止め部によって滑り止めがなされ、クリップ部の開閉動作を確実に行うことができ、クリップ部の操作性の向上を図ることができる。
【００２８】
本発明に係る頭髪編み具は、（１１）前記係止部は、頭部に沿うように湾曲した形状に形成されるとともに頭部の所定面積を覆って接触する裏面を有することを特徴とする。
【００２９】
この構成により、本発明に係る頭髪編み具は、係止部の裏面を頭髪に当てて使用することにより動きにくく安定した状態となり、このため、頭髪の編み込みを行いやすい。
【００３０】
本発明に係る頭髪編み具は、（１２）前記係止部はブラシで構成されていることを特徴とする。
【００３１】
この構成により、本発明に係る頭髪編み具は、当該頭髪編み具を頭髪先端側に移動させる際、頭髪を痛めることなく円滑に移動させることができる。
【発明の効果】
【００３２】
本発明によれば、煩雑な手作業を必要とせず、かつ頭髪を痛めるおそれがなく、さらに低コストで美しい編み込みの髪型を容易に作ることができる頭髪編み具を提供することができる。
【図面の簡単な説明】
【００３３】
【図１】本発明の第１の実施形態に係る頭髪編み具の斜視図であって、第１および第２のクリップ部が閉じた状態を示している。
【図２】本発明の第１の実施形態に係る頭髪編み具の斜視図であって、第１および第２のクリップ部が開いた状態を示している。
【図３】本発明の第１の実施形態に係る頭髪編み具の正面図であって、第１および第２のクリップ部が閉じた状態を示している。
【図４】本発明の第１の実施形態に係る頭髪編み具の正面図であって、第１および第２のクリップ部が開いた状態を示している。
【図５】本発明の第１の実施形態に係る頭髪編み具の側面図であって、第１のクリップ部が開いた状態を示している。
【図６】本発明の第１の実施形態に係る頭髪編み具の裏面図である。
【図７】本発明の第１の実施形態に係る頭髪編み具の使用方法の手順を示す図である。
【図８】本発明の第２の実施形態に係る頭髪編み具の正面図であって、第１および第２のクリップ部が開いた状態を示している。
【図９】本発明の第３の実施形態に係る頭髪編み具の正面図であって、第１および第２のクリップ部が閉じた状態を示している。
【図１０】本発明の第４の実施形態に係る頭髪編み具の正面図である。
【発明を実施するための形態】
【００３４】
（第１の実施形態）
以下、本発明の第１の実施形態について、図面を参照しつつ説明する。
まず、構成について説明する。
【００３５】
図１〜図６は第１の実施形態に係る頭髪編み具１を示している。本実施形態の頭髪編み具１は、ベース部９と、ベース部９に設けられ、該ベース部９を、頭髪に沿って移動可能、かつ任意の位置に係止可能とするブラシ部８と、ベース部９に略直線状に配置された３つの髪留め部１００、２００、３００と、を備えている。各髪留め部１００、２００、３００には、頭髪の一部をまとめた毛束が挟み込まれて保持される略円筒状の保持空間１Ａ、２Ａ、３Ａがそれぞれ設けられている。ブラシ部８は本発明における係止部を構成するものであって、ブラシで構成されている。
【００３６】
図１〜図４に示すように、本実施形態における３つの髪留め部１００、２００、３００は、ベース部９の略中央に設けられた中央の髪留め部３００と、中央の髪留め部３００を挟む外側の位置にそれぞれ設けられた第１の外側髪留め部１００および第２の外側髪留め部２００である。中央の髪留め部３００には中央の保持空間３Ａが設けられ、第１の外側髪留め部１００には第１の外側保持空間１Ａが設けられ、第２の外側髪留め部２００には第２の外側保持空間２Ａが設けられている。図３および図４に示すように、本実施形態に係る頭髪編み具１は、中央の髪留め部３００を対称中心として幅方向において左右対称に構成されており、図３および図４において左側の第１の外側髪留め部１００と右側の第２の外側髪留め部２００とは同様の構成を有する。
【００３７】
図１に示すように、ベース部９は、ブラシ部８の表面８ａ側に設けられ、該ブラシ部８と一体に成形されている。図６に示すように、ブラシ部８は楕円板状であって、当該頭髪編み具１を使用する頭部に沿うように長手方向に湾曲した形状に形成されている。ブラシ部８においては、凹側の面が頭髪に接触する裏面８ｂを構成し、凸側の面が表面８ａを構成する。本実施形態に係る頭髪編み具１は、編み込みの髪型を作る頭髪の部分に対し、その部分の左側にブラシ部８の長手方向一端側を配し、その部分の右側にブラシ部８の他端側を配した状態で、裏面８ｂを頭髪に接触させて使用される。
【００３８】
ブラシ部８は、頭髪の所定面積を覆って接触する大きさを有し、例えばその長手方向の寸法は、編み込みのためにまとめた３つの毛束を合わせた幅よりも十分に大きな寸法とされる。以下の説明において、図１の矢印Ｗ方向で示すブラシ部８の長手方向を「幅方向」といい、幅方向に直交する図１の矢印Ｄ方向を「奥行き方向」という。
【００３９】
図３および図６に示すように、ブラシ部８は、その裏面８ｂに複数の櫛８０ａを有する。これら櫛８０ａの先端には、幅方向に沿って延び、その両端が裏面８ｂ側に湾曲した歯部８０ｂが形成されている。図６に示すように、複数の櫛８０ａは、ブラシ部８の裏面８ｂの、幅方向に延びる両方の縁部８ｃに沿って等間隔をおいて形成されている。本実施形態に係る頭髪編み具１は、ブラシ部８を概ね水平な状態として裏面８ｂを頭部に当てることで使用される。本実施形態に係る頭髪編み具１は、頭部に当てられたブラシ部８の櫛８０ａが頭髪内に入り込むことで頭髪に係止されるとともに、頭髪が歯部と裏面８ｂとの間に入り込むことで、頭髪に沿って移動可能に構成されている。
【００４０】
図３に示すように、ベース部９は、ブラシ部８の表面８ａに、当該ブラシ部８の幅方向一端部から他端部にわたって形成されており、幅方向において左右対称の形状を有する。ベース部９は、第１の外側髪留め部１００側と第２の外側髪留め部２００側とに、内側の凸部９８と外側の凸部９９とをそれぞれ有する。ベース部９には、中央の２つの凸部９８の間に中央の凹部９３が形成され、第１の外側髪留め部１００側の凸部９８と凸部９９との間に第１の外側凹部９１が形成され、第２の外側髪留め部２００側の凸部９８と凸部９９の間に第２の外側凹部９２が形成されている。各凹部９１、９２、９３は、表面９ａ側が凹となるように幅方向に湾曲して形成されたものである。中央の２つの凸部９８には、奥行き方向を軸方向とするヒンジ軸９６が形成されている。
【００４１】
図１〜図４に示すように、中央の凹部９３には、中央の髪留め部３００が設けられている。中央の髪留め部３００は、中央の凹部９３に嵌合されたポリウレタンフォームからなるスポンジ３０を有する。スポンジ３０は、本発明における柔軟部材および滑り抑制部を構成する。
【００４２】
図１に示すように、スポンジ３０は、中央の凹部９３の両側に立ち上がるように形成された側板部９３１と中央の凹部９３とに囲まれた空間に嵌合されている。スポンジ３０には、奥行き方向に貫通する円筒状の中央の保持空間３Ａが形成されているとともに、この中央の保持空間３Ａに毛束を差し入れるための切れ込み３１０が形成されている。中央の保持空間３Ａはスポンジ３０の底部中央に形成され、切れ込み３１０は図３において中央の保持空間３Ａからスポンジ３０の上面にわたって形成されている。保持空間３Ａの大きさは任意であるが、スポンジ３０の弾性によって毛束が確実に保持され得る程度の大きさとされる。
【００４３】
次に、中央の髪留め部３００を挟んでその外側にそれぞれ設けられた本実施形態に係る第１の外側髪留め部１００および第２の外側髪留め部２００を説明する。
【００４４】
第１の外側髪留め部１００は、ベース部９に形成された上述した第１の外側凹部９１と、ベース部９にヒンジ軸９６を介してベース部９に対し離接する方向に開閉可能に支持され、閉じた状態で第１の外側凹部９１に対向する内面３２ｂを有し、該内面３２ｂと第１の外側凹部９１との間に略円筒状の第１の外側保持空間１Ａを形成する第１のクリップ部１０と、第１のクリップ部１０を閉じる方向に付勢するコイルばね４０と、を有する。
【００４５】
また、第２の外側髪留め部２００は、ベース部９に形成された上述した第２の外側凹部９２と、ベース部９にヒンジ軸９６を介してベース部９に対し離接する方向に開閉可能に支持され、閉じた状態で第２の外側凹部９２に対向する内面３２ｂを有し、該内面３２ｂと第２の外側凹部９２との間に略円筒状の第２の外側保持空間２Ａを形成する第２のクリップ部２０と、第２のクリップ部２０を閉じる方向に付勢するコイルばね４０と、を有する。ここで、コイルばね４０は、本発明における付勢部材を構成する。なお、本発明の付勢部材としてはコイルばね４０に限定されず、板ばね等の他の種類のばねでもよく、あるいは、ベース部９および各クリップ部１０、２０が一体成形され、材料自体の弾性によって各クリップ部１０、２０を閉じる方向に付勢するような構成のものでもよい。
【００４６】
図１および図３は、それぞれ第１のクリップ部１０および第２のクリップ部２０が閉じた状態の頭髪編み具１を示し、図２および図４は、それぞれ第１のクリップ部１０および第２のクリップ部２０が開いた状態の頭髪編み具１を示している。
【００４７】
以下、第１の外側髪留め部１００、すなわち図３および図４において中央の髪留め部３００の左側の構成を説明する。
【００４８】
図４に示すように、第１の外側髪留め部１００を構成する第１のクリップ部１０は、ベース部９の凸部９８にヒンジ軸９６を介して矢印Ａ−Ｂで示す方向に回動可能に支持されている。第１のクリップ部１０は、中央の髪留め部３００側の基部３１と、幅方向外側の外側端部３２ｃとを有し、外側端部３２ｃがベース部９の凸部９９から離間することにより開くよう構成されている。ここで、基部３１は、本発明における内側端部を構成する。第１のクリップ部１０は、後述するように、手指で押さえることにより第１のクリップ部１０の開閉動作を行うことができるようにした開閉操作面３３ｂを有し、該開閉操作面３３ｂには滑り止め部３３ｃが設けられている。
【００４９】
図１〜図４に示すように、第１のクリップ部１０は、基部３１から互いに略直交する方向に延びる押さえ板部３２とレバー部３３とを有し、奥行き方向から見た場合、略Ｌ字状の形状を有する。
【００５０】
図５に示すように、第１のクリップ部１０の基部３１は二股状に分かれた２つの基部片３１ａを有する。各基部片３１ａには軸孔３１ｂが形成されており、これら軸孔３１ｂに、凸部９８に設けられた２つのヒンジ軸９６がそれぞれ嵌合され、これにより第１のクリップ部１０は、ヒンジ軸９６を軸に回動するように構成されている。
【００５１】
図３に示すように、第１のクリップ部１０の押さえ板部３２は、基部３１から幅方向の外側に向かって延びており、基部３１から外側端部３２ｃにわたり図中上側が凸となるように湾曲した形状を有する。押さえ板部３２は、上述した内面３２ｂを有する。
【００５２】
第１のクリップ部１０のレバー部３３は、基部３１から図３において幅方向の外側に若干湾曲しながら上方に延びる形状を有しており、中央の髪留め部３００のスポンジ３０の上面から突出するようになっている。図１および図２に示すように、レバー部３３のスポンジ３０側には、第１のクリップ部１０の開閉時に当該レバー部３３が上述した側板部９３１およびスポンジ３０に干渉しないように空洞部３３ｆが形成されている。
【００５３】
図１に示すように、レバー部３３の先端部３３ａの外面には開閉操作面３３ｂが形成されており、この開閉操作面３３ｂには、滑り止め部３３ｃが設けられている。滑り止め部３３ｃは、弧状に形成された複数の凸条３３ｄにより構成されている。第１のクリップ部１０は、レバー部３３から押さえ板部３２にわたる部分の表面に凹状に形成された凹面１０ａを有する。第１のクリップ部１０は、この凹面１０ａからレバー部３３の表面に手指を当ててレバー部３３を操作することにより、開閉しやすいようになっている。
【００５４】
前述したように、本実施形態に係る第１の外側髪留め部１００は、第１のクリップ部１０を閉じる方向に付勢するコイルばね４０を有する。図３および図４に示すように、本実施形態に係るコイルばね４０は、コイル部４０ａと２つの腕部４０ｂ、４０ｃとを備えたねじりコイルばねにより構成されている。
【００５５】
図５に示すように、ベース部９の凸部９８内にはコイルばね収納部９８１が形成されており、このコイルばね収納部９８１に、コイルばね４０のコイル部４０ａが収納されている。そして図３および図４に示すように、コイルばね４０の一方の腕部４０ｂが凸部９８の内部に係合され、他方の腕部４０ｃが第１のクリップ部１０の押さえ板部３２の内部に係合されている。第１のクリップ部１０は、コイルばね４０によって図４の矢印Ｂ方向に回動するように付勢されることにより、押さえ板部３２の外側端部３２ｃが凸部９９の突端に当接して閉じた状態が保持されるようになっている。第１の外側髪留め部１００においては、図３に示すように、第１のクリップ部１０が閉じた状態で押さえ板部３２の内面３２ｂと第１の外側凹部９１との間に略円筒状の第１の外側保持空間１Ａが形成されるようになっている。
【００５６】
図２および図４に示すように、本実施形態に係る第１の外側髪留め部１００は、内側の凸部９８から外側の凸部９９に架け渡された帯状の第１のバンド５１を有する。第１のバンド５１は、本発明の滑り抑制部および柔軟部材を構成する。第１のバンド５１は、第１の外側凹部９１と第１のクリップ部１０の押さえ板部３２との間であって押さえ板部３２に近接した位置に配置されている。第１のバンド５１は、弾性変形可能で、頭髪に対しある程度の摩擦が生じる材料で形成されている。その材料としては、シリコーンゴム等が好適とされる。
【００５７】
第１のクリップ部１０は、レバー部３３の開閉操作面３３ｂをコイルばね４０の付勢力に抗して内側すなわちスポンジ３０側に押すことにより、図４の矢印Ａ方向に回動して開かせることができるようになっている。そしてその押す力を解除すると、コイルばね４０の付勢力により図４の矢印Ｂ方向に回動して外側端部３２ｃが凸部９９に当接し、閉じるようになっている。本実施形態に係る第１の外側髪留め部１００においては、第１のクリップ部１０を開き、第１の外側保持空間１Ａ内に毛束を入れ、第１のクリップ部１０を閉じることにより、第１の外側保持空間１Ａ内における第１のバンド５１と第１のクリップ部１０の押さえ板部３２との間に毛束が挟み込まれるようになっている。
【００５８】
次に、本実施形態に係る第２の外側髪留め部２００、すなわち図３および図４で中央の髪留め部３００の右側の構成について説明するが、前述したように本実施形態に係る頭髪編み具１は、図３および図４において中央の髪留め部３００を対称中心として幅方向において左右対称に構成されており、第１の外側髪留め部１００と第２の外側髪留め部２００とは同様の構成を有する。したがって、第２の外側髪留め部２００については、同様の構成要素には同様の符号を付し、それらを簡略に説明するか、あるいは説明を省略する。
【００５９】
第２の外側髪留め部２００を構成する第２のクリップ部２０は、ベース部９の内側の凸部９８にヒンジ軸９６を介して図４に示す矢印Ａ−Ｂで示す方向に回動可能に支持されている。
【００６０】
第２のクリップ部２０は、第１のクリップ部１０と同様に、基部３１と、押さえ板部３２と、レバー部３３と、を有する。基部３１は、凸部９８のヒンジ軸９６に回動可能に支持されている。押さえ板部３２は、第２の外側凹部９２に対向する内面３２ｂと、外側の凸部９９に当接する外側端部３２ｃと、を有する。レバー部３３は、先端部３３ａの外面に開閉操作面３３ｂを有し、開閉操作面３３ｂには、複数の凸条３３ｄにより構成された滑り止め部３３ｃが設けられている。
【００６１】
図３に示すように、本実施形態に係る第２の外側髪留め部２００においては、第２のクリップ部２０が閉じた状態で、押さえ板部３２の内面３２ｂと第２の外側凹部９２との間に、略円筒状の第２の保持空間２Ａが形成されるようになっている。また、第２のクリップ部２０の押さえ板部３２の外側端部３２ｃが、外側の凸部９９の突端に当接するようになっている。
【００６２】
本実施形態に係る第２の外側髪留め部２００は、第１の外側髪留め部１００と同様に、第２のクリップ部２０を閉じる方向に付勢するコイルばね４０を有する。また、第２の外側髪留め部２００は、第１の外側髪留め部１００の第１のバンド５１と同様の第２のバンド５２を有する。
【００６３】
第２のクリップ部２０は、レバー部３３の開閉操作面３３ｂをコイルばね４０の付勢力に抗してスポンジ３０側に押すことにより開かせることができるようになっており、また、その押す力を解除することでコイルばね４０の付勢力により閉じるようになっている。本実施形態に係る第２の外側髪留め部２００においては、第２のクリップ部２０を開き、第２の外側保持空間２Ａ内に毛束を入れ、第２のクリップ部２０を閉じることにより、第２の外側保持空間２Ａ内における第２のバンド５２と第２のクリップ部２０の押さえ板部３２との間に毛束が挟み込まれるようになっている。
【００６４】
本実施形態に係る頭髪編み具１は、第１のクリップ部１０および第２のクリップ部２０の各レバー部３３を、例えば片手の指で挟んで互いに近付ける動作により、各クリップ部１０、２０の各外側端部３２ｃを開くことができるように構成されている。
【００６５】
また、本実施形態に係る頭髪編み具１は、第１のクリップ部１０および第２のクリップ部２０の各レバー部３３に対する触感により、中央の髪留め部３００と、第１の外側髪留め部１００と、第２の外側髪留め部２００の各部の位置を判別することができるように構成されている。
【００６６】
（作用）
次に、作用について説明する。
図７の（１）〜（８）は、本実施形態に係る頭髪編み具１の使用手順の一例を示している。本実施形態に係る頭髪編み具１を使用するにあたっては、まず、図７（１）に示すように、後頭部のトップの頭髪を適当量取り、その頭髪の下方に、幅方向を概ね水平とした頭髪編み具１を係止する。頭髪編み具１は、ブラシ部８の裏面８ｂを頭髪の根元に押し付け、左右に若干揺らすことにより頭髪に係止することができる。ここで、頭髪編み具１においては、頭髪に対し第１の外側髪留め部１００を左側に配し、第２の外側髪留め部２００を右側に配するものとする。
【００６７】
次いで図７（２）に示すように、（１）で取ったトップの頭髪を３等分して左側の毛束Ａと中央の毛束Ｂと右側の毛束Ｃとに分け、これら毛束Ａ、Ｂ、Ｃを、それぞれ左側の第１のクリップ部１０、スポンジ３０、右側の第２のクリップ部２０でそれぞれ保持する。第１のクリップ部１０で毛束を保持するには、第１のクリップ部１０を開いて毛束を第１のクリップ部１０と第１のバンド５１との間に入れ、第１のクリップ部１０を閉じる。また、第２のクリップ部２０で毛束を保持するには、第２のクリップ部２０を開いて毛束を第２のクリップ部２０と第２のバンド５２との間に入れ、第２のクリップ部２０を閉じる。スポンジ３０で毛束を保持するには、毛束をスポンジ３０の切れ込み３１０に入れて中央の保持空間３Ａにはめ込む。
【００６８】
次いで図７（３）に示すように、右側の毛束Ｃを第２のクリップ部２０から外して中央側にクロスさせるとともに毛束Ｂをスポンジ３０から抜いて右側にクロスさせ、毛束Ｃをスポンジ３０で保持するとともに毛束Ｂを第２のクリップ部２０で保持する。次いで図７（４）に示すように、毛束Ａを第１のクリップ部１０から外して中央側にクロスさせるとともに毛束Ｃをスポンジ３０から抜いて左側にクロスさせ、毛束Ａをスポンジ３０で保持するとともに毛束Ｃを第１のクリップ部１０で保持する。これにより１回の三つ編みが作られる。
【００６９】
次いで図７（５）に示すように、毛束Ｃの下側の毛束Ｄを取り出し、第２のクリップ部２０を開いて毛束Ｂを毛束Ｄと合わせ、図７（６）に示すように、毛束Ｂ＋Ｄとスポンジ３０から抜いた毛束Ａをクロスさせ、毛束Ｂ＋Ｄをスポンジ３０で保持し、毛束Ａを第２のクリップ部２０で保持する。次いで（５）〜（６）の動作を左側の頭髪に対して行う。すなわち、図７（７）に示すように、毛束Ａの下側の毛束Ｅを取り出し、第１のクリップ部１０を開いて毛束Ｃを毛束Ｅと合わせ、毛束Ｃ＋Ｅとスポンジ３０から抜いた毛束Ｂ＋Ｄをクロスさせ、毛束Ｃ＋Ｅをスポンジ３０で保持し、毛束Ｂ＋Ｄを第１のクリップ部１０で保持する。これにより１回の編み込みが作られる。
【００７０】
上述したように、右側の毛束と中央の毛束とを入れ替え、次いで左側の毛束と中央の毛束とを入れ替えるといった編み込み動作を、当該頭髪編み具１を頭髪の先端側に少しずつ下げながら規則的に繰り返し行うことにより、図７（８）に示すように、３つの毛束が幾重にもクロスして編み込まれた編み込みの髪型を作ることができる。この後は、所望の編み込み長さを得た後、頭髪編み具１を頭髪から抜き取り、ヘアゴム等で編み込みの下端を結び、髪型を保持してアレンジを完成させる。
【００７１】
以上のようにして使用される本実施形態に係る頭髪編み具１は、ブラシ部８により頭髪に移動可能に係止させることができ、また、頭髪に係止させた当該頭髪編み具１の中央の髪留め部３００、第１の外側髪留め部１００および第２の外側髪留め部２００の３つの髪留め部に、毛束をそれぞれ挟み込んで保持させることができる。このため、本実施形態に係る頭髪編み具１は、毛束から手を離して所望の編み込みを行うことができるとともに、毛束をクロスさせる際に頭髪が混ざり合うことなく一定ボリュームの毛束をきれいにまとまった状態に保持することができる。この結果、本実施形態に係る頭髪編み具１を使用することにより、煩雑な手作業を必要とせず、美しい編み込みの髪型を容易に作ることができる。
【００７２】
また、本発明に係る頭髪編み具１は、各髪留め部１００、２００、３００に形成される略円筒状の各保持空間１Ａ、２Ａ、３Ａに毛束が挟み込まれて保持されるため、毛束を断面略円形状の自然な状態で保持することができるとともに、頭髪を痛めるおそれがない。
【００７３】
また、本実施形態に係る頭髪編み具１は、１つの当該頭髪編み具１で編み込みを行うことができるため、当該頭髪編み具１を複数必要とせず、よって低コストで編み込みを行うことができる。
【００７４】
また、本実施形態に係る頭髪編み具１の中央の髪留め部３００は柔軟性を有するスポンジ３０により構成され、毛束を切れ込み３１０に通してスポンジ３０内の中央の保持空間３Ａに保持することができる。このため、本実施形態に係る頭髪編み具１の中央の髪留め部３００においては、毛束を中央の保持空間３Ａに対し容易に出し入れすることができるとともに、頭髪を痛めるおそれがない。
【００７５】
また、本実施形態に係る第１のクリップ部１０および第２のクリップ部２０は、押さえ板部３２の外側端部３２ｃがベース部９から離間することにより開くように構成されている。この構成により、毛束を幅方向の外側から各外側保持空間１Ａ、２Ａに入れることができるので毛束をそれら外側保持空間１Ａ、２Ａに入れやすい。また、各外側保持空間１Ａ、２Ａに入れた毛束を幅方向の外側に移動させると、レバー部３３を操作せずとも各クリップ部１０、２０が開いて毛束を外部に出すことができる。したがって本実施形態に係る頭髪編み具１によれば編み込みの作業性をより向上させることができる。
【００７６】
また、本実施形態に係る頭髪編み具１は、第１のクリップ部１０および第２のクリップ部２０の各レバー部３３を、例えば片手の指で挟んで互いに近付ける動作により、各クリップ部１０、２０の各外側端部３２ｃを開くことができるように構成されている。この構成により、本実施形態に係る頭髪編み具１は、第１の外側髪留め部１００および第２の外側髪留め部２００に対する毛束の保持や抜き取りを速やかに行うことができる。
【００７７】
また、本実施形態に係る頭髪編み具１は、第１のクリップ部１０および第２のクリップ部２０の各レバー部３３に対する触感により、３つの髪留め部１００、２００、３００の位置を判別することができるように構成されている。この構成により、本実施形態に係る頭髪編み具１は、各レバー部３３に触ることにより、３つの髪留め部１００、２００、３００の各位置を手探りでも容易に判別できるため、編み込みの作業を容易、かつ円滑に行うことができる。
【００７８】
また、本実施形態に係る頭髪編み具１は、第１のクリップ部１０と第１のバンド５１との間、および第２のクリップ部２０と第２のバンド５２との間に、毛束が挟み込まれるように構成されている。この構成により、本実施形態に係る頭髪編み具１は、第１の外側髪留め部１００および第２の外側髪留め部２００に挟み込まれた毛束が滑って動くことを各バンド５１、５２で抑えることができ、毛束を断面略円形状の自然な状態で確実かつ柔軟に保持することができるとともに、頭髪が痛むことを防ぐことができる。また、毛束の量が多くても各バンド５１、５２が弾性変形することにより毛束を確実に保持することができる。
【００７９】
また、本実施形態に係る頭髪編み具１においては、第１のクリップ部１０および第２のクリップ部２０の各レバー部３３の各開閉操作面３３ｂに滑り止め部３３ｃがそれぞれ設けられているので、各クリップ部１０、２０を開閉させる際に滑り止め部３３ｃによって滑り止めがなされ、このため、各クリップ部１０、２０の開閉動作を確実に行うことができ、開閉の操作性を向上させることができる。
【００８０】
また、本実施形態に係る頭髪編み具１のブラシ部８は、頭部に沿うように湾曲した形状に形成されるとともに頭髪の所定面積を覆って接触する裏面８ｂを有するので、当該頭髪編み具１は、使用する際に動きにくく安定した状態となり、このため頭髪の編み込みを行いやすい。
【００８１】
また、本実施形態に係る本発明に係る頭髪編み具１においては、ブラシ部８で頭髪に係止されるため、当該頭髪編み具１を頭髪先端側に移動させる際、頭髪を痛めることなく円滑に移動させることができる。
【００８２】
次に、図８〜図１０により、第２〜第４の実施形態について説明する。これら実施形態は、上述の第１の実施形態に対する一部構成の変更等であり、したがって、以下の説明では上述の実施形態と同一の構成要素には同一の符号を付し、上述の実施形態との相違点のみを説明する。
【００８３】
図８および図９にそれぞれ示す第２の実施形態および第３の実施形態における第１の髪留め部１００および第２の髪留め部２００は、それぞれ保持空間１Ａ、２Ａに配設された柔軟性を有するスポンジと各クリップ部１０、２０との協働によって毛束が挟み込まれるように構成されている。
【００８４】
（第２の実施形態）
図８に示す第２の実施形態においては、各髪留め部１００、２００をそれぞれ構成する第１のクリップ部１０および第２のクリップ部２０の各内面３２ｂに、略半月状のスポンジ５３がそれぞれ設けられ、一方、第１の凹部９１および第２の凹部９２の底面に、略半月状のスポンジ５４がそれぞれ設けられている。スポンジ５３、５４は、本発明の滑り抑制部および柔軟部材を構成する。これらスポンジ５３、５４は、各クリップ部１０、２０、およびベース部９の各凹部９１、９２に、それぞれ接着剤による接着等の手段で設けることができる。
【００８５】
第２の実施形態においては、各クリップ部１０、２０を閉じると、スポンジ５３、５４の互いに対向する直線状部分が当接するようになっており、各クリップ部１０、２０を開いてスポンジ５３、５４の間に毛束を入れ、各クリップ部１０、２０をそれぞれ閉じることにより、毛束は圧縮したスポンジ５３、５４に弾性的に挟まれて各髪留め部１００、２００に保持されるようになっている。
【００８６】
この構成により、第２の実施形態は、毛束が各髪留め部１００、２００に柔軟に挟み込まれて保持されるため、毛束を自然な状態で保持することができるとともに、頭髪を痛めるおそれがない。また、スポンジ５３、５４により毛束の滑りがおさえられるので、毛束から手を離しても毛束にずれが生じにくく、美しい編み込み等の髪型を容易に作ることができる。
【００８７】
（第３の実施形態）
図９に示す第３の実施形態においては、各髪留め部１００、２００の各保持空間１Ａ、２Ａに、円形状のスポンジ５５がそれぞれ配設され、各クリップ部１０、２０が閉じると、各保持空間１Ａ、２Ａがそれぞれスポンジ５５で埋まるように構成されている。スポンジ５５は、本発明の滑り抑制部および柔軟部材を構成する。スポンジ５５は、ベース部９の各凹部９１、９２の底面に、接着剤による接着等の手段で設けることができる。
【００８８】
第３の実施形態は、各クリップ部１０、２０を閉じると、各クリップ部１０、２０の内面３２ｂが各スポンジ５５に当接するようになっており、各クリップ部１０、２０を開いて各クリップ部１０、２０と各スポンジ５５の間に毛束を入れ、各クリップ部１０、２０を閉じることにより、毛束は圧縮した各スポンジ５５と各クリップ部１０、２０とに挟まれて各髪留め部１００、２００に保持されるようになっている。
【００８９】
この構成により、第３の実施形態は、毛束が髪留め部１００、２００に柔軟に挟み込まれて保持されるため、毛束を自然な状態で保持することができるとともに、頭髪を痛めるおそれがない。また、スポンジにより毛束の滑りが抑えられるので、毛束から手を離しても毛束にずれが生じにくく、美しい編み込み等の髪型を容易に作ることができる。
【００９０】
（第４の実施形態）
上記第１の実施形態は、中央の髪留め部３００のみが、毛束を保持するスポンジ３０を有する構成であるが、本発明は、スポンジ等の柔軟部材を有する髪留め部は中央の髪留め部３００に限定されず、第１の外側髪留め部１００および第２の外側髪留め部２００のうちのいずれか一方、あるいは双方にスポンジ等の柔軟部材を有する形態を含む。図１０は、第１および第２の外側髪留め部１００、２００がそれぞれ上述の第１のクリップ部１０および第２のクリップ部２０を備えておらず、各髪留め部１００、２００、３００のいずれもがスポンジを有する構成の第４の実施形態を示している。第４の実施形態の中央の髪留め部３００は、上述のスポンジ３０を有している。
【００９１】
図１０に示す第４の実施形態における第１の外側髪留め部１００および第２の外側髪留め部２００は、ポリウレタンフォーム等の柔軟性を有する材料で形成された第１の外側スポンジ７１および第２の外側スポンジ７２をそれぞれ有する。各外側スポンジ７１、７２は、それぞれ本発明における柔軟部材および滑り抑制部を構成する。
【００９２】
第１の外側スポンジ７１は、第１の凹部９１に嵌合され、第１の外側髪留め部１００側の凸部９８、９９間の空間を埋めるように設けられている。第２の外側スポンジ７２は、第２の凹部９２に嵌合され、第２の外側髪留め部２００側の凸部９８、９９間の空間を埋めるように設けられている。第４の実施形態の各内側の凸部９８は、第１の実施形態の凸部９８よりも長く突出しており、ベース部９から離れるにつれて幅方向外側にしだいに湾曲するような形状を有している。これら凸部９８の先端面は、手指を傷つけることがないように湾曲面に形成されている。各外側スポンジ７１、７２は、ベース部９の各凹部９１、９２の底面に、接着剤による接着等の手段で設けることができる。
【００９３】
中央の髪留め部３００のスポンジ３０における凸部９８間の外面、および各外側スポンジ７１、７２の凸部９８と凸部９９間の外面は、いずれも外側に凸になるような湾曲面に形成され、３つのスポンジ７１、３０、７２の外面全体が１つの円弧を描くように形成されている。
【００９４】
第１の外側スポンジ７１には、奥行き方向に貫通する円筒状の第１の外側保持空間７１１が形成されているとともに、外部に連通し、第１の外側保持空間７１１に毛束を差し入れるための切れ込み７１２が形成されている。第１の外側保持空間７１１は第１の外側スポンジ７１の底部中央に形成されている。切れ込み７１２は第１の外側保持空間７１１から第１の外側スポンジ７１の露出する外面にわたって形成されている。
【００９５】
第２の外側スポンジ７２も同様構成であって、その底部中央に第２の外側保持空間７２１が形成されているとともに、この第２の外側保持空間７２１から第２の外側スポンジ７２から外部に連通する切れ込み７２２が形成されている。各外側スポンジ７１、７２の各外側保持空間７１１、７２１の大きさは任意であるが、各外側スポンジ７１、７２の弾性によって毛束が確実に保持され得る程度の大きさとされる。各切れ込み７１２、７２２は、各スポンジ７１、７２の中央部に形成されている。各切れ込み７１２、７２２は、各スポンジ７１、７２に、中央の髪留め部３００のスポンジ３０とともに放射状に延びるように形成されている。
【００９６】
第４の実施形態に係る頭髪編み具１においては、第１の髪留め部１００および第２の髪留め部２００は、中央の髪留め部３００と同様に、それぞれ柔軟性を有するスポンジ７１、７２をそれぞれ有し、毛束を切れ込み７１２、７２２にそれぞれ通して保持空間７１１、７２１に保持することができる。第４の実施形態においては、第１および第２の外側髪留め部１００、２００の各スポンジ７１、７２に対して毛束の出し入れが容易であるため、これら外側髪留め部１００、２００に毛束を容易に保持することができるとともに、頭髪を痛めるおそれがない。また、スポンジ７１、７２により毛束の滑りが抑えられるため、毛束を確実に保持することができ、髪型のアレンジがしやすくなる。
【００９７】
上述した各スポンジ５３、５４、５５、７１、７２は、ポリウレタンフォーム等からなるものであるが、本発明の柔軟部材としてはこのようなスポンジに限定されず、柔軟性を有する他の発泡樹脂材料やゴム等の適宜な材料を用いることができる。
【産業上の利用可能性】
【００９８】
本発明は、煩雑な手作業を必要とせず、かつ頭髪を痛めるおそれがなく、さらに低コストで美しい編み込みの髪型を容易に作ることができる頭髪編み具として有用である。
【符号の説明】
【００９９】
１  頭髪編み具
１Ａ、７１１  第１の外側保持空間
２Ａ、７２１  第２の外側保持空間
３Ａ  中央の保持空間
８  ブラシ部（係止部）
８ｂ  裏面
９  ベース部
１０  第１のクリップ部
２０  第２のクリップ部
３０、５３、５４、５５、７１、７２  スポンジ（柔軟部材、滑り抑制部）
３１  基部
３２  押さえ板部
３２ｂ  内面
３２ｃ  外側端部
３３  レバー部
３３ｂ  開閉操作面
３３ｃ  滑り止め部
４０  コイルばね（付勢部材）
５１  第１のバンド（柔軟部材、滑り抑制部）
５２  第２のバンド（柔軟部材、滑り抑制部）
９１  第１の外側凹部
９２  第２の外側凹部
９３  中央の凹部
９６  ヒンジ軸
１００  第１の外側髪留め部
２００  第２の外側髪留め部
３００  中央の髪留め部
３１０  切れ込み
Ａ、Ｂ、Ｃ、Ｄ、Ｅ  毛束
【図１】
2020000729.tif 000003
【図２】
2020000729.tif 000004
【図３】
2020000729.tif 000005
【図４】
2020000729.tif 000006
【図５】
2020000729.tif 000007
【図６】
2020000729.tif 000008
【図７】
2020000729.tif 000009
【図８】
2020000729.tif 000010
【図９】
2020000729.tif 000011
【図１０】
2020000729.tif 000012